(57)【要約】【課題】  ユーザにセキュリティ設定されたネットワーク装置のコンテンツに対する適正範囲の使用権を保障できるノンセキュリティモードで使用可能なネットワーク装置を提供すること。 【解決手段】  ノンセキュリティモードで使用可能なネットワーク装置は、ユーザから制御装置を介して使用要求メッセージが受信されると、所有権の登録がなされているかどうかを判断し、セキュリティ使用モード及びノンセキュリティ使用モードを決定する所有権設定判断部２４１と、所有権設定判断部２４１を介してノンセキュリティ使用モードが決定されると、前記ノンセキュリティ使用モードで提供できるノンセキュリティ使用範囲を検索し、検索されたノンセキュリティ使用範囲で制御装置のユーザに使用権を提供するノンセキュリティ使用範囲検索部２４２とを備えることを特徴とする。【選択図】  図２
2005056384.tif 000002
【特許請求の範囲】
【請求項１】
ユーザから制御装置を介して使用要求メッセージが受信されると、所有権の登録がなされているかどうかを判断し、セキュリティ使用モード及びノンセキュリティ使用モードを決定する所有権設定判断部と、
前記所有権設定判断部を介してノンセキュリティ使用モードが決定されると、前記ノンセキュリティ使用モードで提供できるノンセキュリティ使用範囲を検索し、検索されたノンセキュリティ使用範囲で制御装置のユーザに使用権を提供するノンセキュリティ使用範囲検索部とを備えることを特徴とするノンセキュリティモードで使用可能なネットワーク装置。
【請求項２】
前記ユーザから受信された使用要求メッセージを分析し、前記ユーザがノンセキュリティ使用モードにおける使用が許可されたユーザであるか否かを判断するノンセキュリティ使用許可判断部をさらに備えることを特徴とする請求項１に記載のノンセキュリティモードで使用可能なネットワーク装置。
【請求項３】
ユーザから制御装置を介して使用要求メッセージが受信されると、所有権の登録がなされているかどうかを判断し、 セキュリティ使用モード及びノンセキュリティ使用モードを決定するステップと、
前記判断の結果、所有権の登録がなされていないと、前記ノンセキュリティ使用モードで提供できるノンセキュリティ使用範囲を検索し、検索されたノンセキュリティ使用範囲で前記制御機器のユーザに使用権を提供するステップとを含むことを特徴とするノンセキュリティモードでの使用方法。
【請求項４】
前記判断の結果、所有権の登録がなされていると、前記使用要求メッセージから前記ユーザに対する使用権を検索し、検索された使用権による使用範囲で前記制御機器のユーザに使用権を提供するステップをさらに含むことを特徴とする請求項３に記載のノンセキュリティモードでの使用方法。
【請求項５】
前記検索されたノンセキュリティ使用範囲で前記制御機器のユーザに使用権を提供するステップは、前記検索されたノンセキュリティ使用範囲と前記ユーザから転送されてきた使用要求メッセージの使用要求内容とを比較し、ノンセキュリティ使用モードにおける使用が許可されたユーザであるか否かを判断することを特徴とする請求項３に記載のノンセキュリティモードでの使用方法。
【発明の詳細な説明】
【技術分野】
【０００１】
本出願は、本明細書の参考資料として添付された韓国特許出願第１０-２００３-５４７９２号を優先権主張する出願である。
【０００２】
本発明は、ノンセキュリティモードで使用可能なネットワーク装置及びその方法に関し、より詳しくは、セキュリティ設定されたネットワーク装置に対する所有権の設定がなされていない状態でもノンセキュリティ使用許可手段を介してノンセキュリティ使用範囲のコンテンツの使用が可能となるように設定することにより、初期のネットワークの構築段階においてもセキュリティ設定されたネットワーク装置を適正範囲で使用することを可能とするノンセキュリティモードで使用可能なネットワーク装置及びその方法に関する。
【背景技術】
【０００３】
一般に、ホームネットワークは、インターネットプロトコル(Internet Protocol；以下、ＩＰと称する)ベースの私設網(Private network)における様々なネットワーク装置にミドルウェア(middleware)という共通の仮想コンピューティング環境を構築し、その上で各ネットワーク装置を介してサービスできるサービスアプリケーションを提供する方式として提案されている。
【０００４】
サービスアプリケーションは、ネットワーク装置を介してサービスされるコンテンツの特性により、サービスに登録されたユーザのみが使用できるようにするセキュリティ機能が設定される。
【０００５】
このようなセキュリティ機能の設定されているサービスアプリケーションを有するネットワーク装置(以下、安全装置と称する)を使用するために、ホームネットワークには、所有権の登録装置を備えている。
【０００６】
所有権の登録装置は、安全装置の所有権を持ち、安全装置のサービスアプリケーションに対する使用が許可された特定のユーザを登録させ、前記ユーザにのみ安全装置のサービスアプリケーションを使用できるように使用権を与えている。
【０００７】
これによる従来のネットワークシステム及びその動作過程を添付図面を参照して説明する。
図１Ａ〜Ｃは、従来のネットワークシステム及び安全装置の構造やこれによる安全装置の使用過程を概略的に示す図である。
【０００８】
従来のネットワークシステムにおいて、図１Ａに示すように、安全装置２０が初めて設置されたり、安全装置の使用が要求されたりすると、所有権登録装置３０では安全装置２０に所有権を登録させる(１)。
【０００９】
このように所有権の設定がなされると、ユーザは、制御装置１０を介して所有権登録装置３０に安全装置２０の使用権を要求し(２)、所有権登録装置３０ではユーザに対する使用権を生成して安全装置２０に登録させる(３)。
【００１０】
このように使用権の登録がなされると、ユーザは、制御装置１０を介して安全装置２０を使用することが可能となる(４)。
【００１１】
このような安全装置２０は、図１Ｂに示すように、所有権及び使用権を保存するための所有権ＤＢ１１及び使用権ＤＢ１３を有し、要求受付部１２と、使用権確認部１４と、エラー応答部１５と、要求処理部１６と、要求応答部１７とから構成されている。
【００１２】
また、安全装置２０では、図１Ｃに示すように、制御装置１０を介してユーザから使用要求メッセージが受信されると(Ｓ１)、使用権ＤＢ１３を参照して使用権情報を検索する(Ｓ２)。
【００１３】
その次、検索された使用権と、制御装置を介してユーザから転送された使用要求メッセージとからユーザに安全装置２０の使用が許可されているか否かを判断する(Ｓ３)。即ち、使用要求メッセージでの使用要求が検索された使用権の使用範囲を超えるか否かを判断する。
【００１４】
判断の結果、安全装置２０の使用が許可されていると、ユーザから受信された使用要求メッセージを要求処理部１６に転送し、使用要求メッセージを処理する。しかし、安全装置２０の使用が許されていないと、エラー応答部１５を介してユーザにエラーメッセージを転送する。
【００１５】
要求処理部１６における使用要求メッセージの処理過程においてエラーが発生すると、エラー応答部１５を介してユーザにエラーメッセージを転送し、エラーが発生しないと、要求応答部１７を介してユーザに応答メッセージを転送する。
【００１６】
このように、従来のホームネットワークシステムにおける安全装置２０は、所有権登録装置３０を介して所有権の登録及び使用権が与えられることにより、使用可能となっていた。
【００１７】
これにより、所有権の設定がなされていない安全装置の場合は、使用権が制限され、使用不可能であった。
また、所有権登録装置の備わっていない初期のホームネットワークの構築段階において 安全装置や所有権登録装置の配布が同時に行なわれない場合には、ユーザは、安全装置を購入したにも関わらず、所有権登録装置を備えるまで使用できなくなるという状況となることもある。
【００１８】
従って、所有権登録装置の備わっていないホームネットワークにおける所有権の設定がなされていない状態でもユーザが所定の使用範囲で安全装置を使用できるようにする使用権の保障方法が求められているのが実情である。 
【発明の開示】
【発明が解決しようとする課題】
【００１９】
本発明は、上記問題点に鑑みなされたものであり、ノンセキュリティ使用許可手段を介して、所有権の設定がなされていない状態でもノンセキュリティモードでノンセキュリティ範囲の使用権を提供することにより、初期のネットワーク構築段階においてもユーザにセキュリティ設定されたネットワーク装置のコンテンツに対する適正範囲の使用権を保障できるノンセキュリティモードで使用可能なネットワーク装置及びその方法を提供することを目的とする。
【課題を解決するための手段】
【００２０】
上記の目的を達成するため、本発明においては、ユーザから使用要求メッセージが受信されると、所有権設定判断部を介して所有権の登録がなされているかどうかを判断し、セキュリティ使用モード及びノンセキュリティ使用モードを決定している。
【００２１】
これにより、ユーザは、所有権の設定がなされていない状態でも、ノンセキュリティ使用モードにおけるノンセキュリティ使用範囲で提供できる安全装置に対する使用権の保障を受けることが可能となる。
【００２２】
ノンセキュリティ使用範囲は、コンテンツに対するセキュリティ性の確保が求められていない範囲を示し、これは、ネットワーク装置またはコンテンツ開発者により決定されたり、あるいは、ユーザにより編集されたりする。
【００２３】
例えば、マルチメディアコンテンツの場合は、コンテンツ開発者の著作者によりセキュリティ性の確保が求められないものと決定される公開バージョンのマルチメディアコンテンツがノンセキュリティ使用範囲に設定される。 
【００２４】
このようなノンセキュリティ使用範囲の他に、セキュリティ性の確保が求められるマルチメディアコンテンツは、所有権登録装置により与えられる使用権によって使用範囲が設定される。 
【００２５】
また、本発明の一実施の形態によるノンセキュリティモードで使用可能なネットワーク装置は、ユーザから制御装置を介して使用要求メッセージが受信されると、所有権の登録がなされているかどうかを判断し、セキュリティ使用モード及びノンセキュリティ使用モードを決定する所有権設定判断部と、所有権設定判断部を介してノンセキュリティ使用モードが決定されると、前記ノンセキュリティ使用モードで提供できるノンセキュリティ使用範囲を検索し、検索されたノンセキュリティ使用範囲で制御装置のユーザに使用権を提供するノンセキュリティ使用範囲検索部とを備えることを特徴とする。
【００２６】
また、本発明によるノンセキュリティモードで使用可能なネットワーク装置は、ユーザから受信された使用要求メッセージを分析し、前記ユーザがノンセキュリティ使用モードにおける使用が許可されたユーザであるか否かを判断するノンセキュリティ使用許可判断部をさらに備えることを特徴とする。
【００２７】
本発明の一実施の形態によるノンセキュリティモードにおける使用方法は、ユーザから制御装置を介して使用要求メッセージが受信されると、所有権の登録がなされているかどうかを判断し、 セキュリティ使用モード及びノンセキュリティ使用モードを決定するステップと、判断の結果、所有権の登録がなされていないと、ノンセキュリティ使用モードで提供できるノンセキュリティ使用範囲を検索し、検索されたノンセキュリティ使用範囲で前記制御装置のユーザに使用権を提供するステップとを含むことを特徴とする。
【００２８】
また、本発明の一実施の形態によるノンセキュリティモードにおける使用方法は、判断の結果、所有権の登録がなされていると、前記使用要求メッセージから前記ユーザに対する使用権を検索し、検索された使用権による使用範囲で前記制御機器のユーザに使用権を提供するステップをさらに含むことを特徴とする。
【発明の効果】
【００２９】
このような本発明によるノンセキュリティモードで使用可能なネットワーク装置及びその方法によれば、初期のネットワーク構築段階においても、ユーザにセキュリティ設定されたネットワーク装置のコンテンツに対する適正範囲の使用権を保障することができる。
【発明を実施するための最良の形態】
【００３０】
以下、本発明の好ましい実施の形態を、添付図面に基づいて詳しく説明する。
図２は、本発明の一実施の形態によるネットワークシステムの構造を概略的に示す図である。
【００３１】
図示のように、本発明によるネットワークシステムは、ホームネットワークに接続して動作する各ネットワーク装置を制御するための制御装置１００と、 初期のホームネットワークの構築段階において、所有権の登録装置が備わっておらず、所有権が設定されていない安全装置２００とから構成されている。
【００３２】
この安全装置２００は、所有権の設定がなされていない状態で制御装置を介してユーザから使用要求メッセージが受信されると、ノンセキュリティモードにおけるノンセキュリティ使用範囲で提供できる使用権を前記制御機器のユーザに保障する。
【００３３】
セキュリティ使用モードは、コンテンツに対するセキュリティ性を確保するために、安全装置２００に対する所有権を有する所有権登録装置を用いて、使用権を登録したユーザのみがコンテンツを使用できるように提供するモードである。
【００３４】
これに対し、ノンセキュリティ使用モードは、所有権の設定がなされていない状態でも 任意のユーザがコンテンツをノンセキュリティ使用範囲で使用できるように提供するモードである。
【００３５】
ここで、ノンセキュリティ使用範囲は、コンテンツに対するセキュリティ性の確保が求められない範囲を示し、これは、ネットワーク装置またはコンテンツ開発者により決定されたり、ユーザにより編集されたりする。
【００３６】
例えば、マルチメディアコンテンツの場合は、コンテンツ開発者によりセキュリティ性の確保が求められないものと決められる公開バージョンのマルチメディアコンテンツまでがノンセキュリティ使用範囲に設定される。
【００３７】
このようなノンセキュリティ使用範囲の他に、セキュリティ性の確保が求められるマルチメディアコンテンツは、所有権登録装置により与えられる使用権によって使用範囲が設定される。
【００３８】
図３は、本発明の一実施の形態によるノンセキュリティモードで使用可能な安全装置の構造を概略的に示す図である。
【００３９】
図示のように、安全装置２００は、所有権の登録装置から提供された所有権を保存する所有権ＤＢ２１０と、ノンセキュリティ使用モードで提供されるコンテンツの範囲に対する情報を保存するノンセキュリティ使用範囲ＤＢ２２０と、制御装置を介したユーザからのコンテンツへのアクセスにより受信される特定のコンテンツに対する使用要求を受信する要求受付部２３０と、要求受付部２３０に受信されたユーザの要求により、所有権の設定がなされているかどうかを判断し、セキュリティ使用モード及び ノンセキュリティ使用モードを決定するノンセキュリティ使用許可モジュール２４０と、所有権を有する所有権の登録装置から与えられた使用権を保存する使用権ＤＢ２５０と、ノンセキュリティ使用許可モジュール２４０の判断結果により、セキュリティ使用モードにおいて使用権ＤＢ２５０でユーザの使用権を確認する使用権確認部２６０と、使用権確認部２６０での使用権の確認結果で発生したエラーメッセージをユーザに転送するエラー応答部２７０と、ノンセキュリティ使用許可モジュール２４０の判断結果により、セキュリティ使用モードでユーザの使用権が確認されるか、ノンセキュリティ使用モードでの使用権が許可されると、制御装置のユーザの要求を処理する要求処理部２８０と、要求処理部２８０の処理結果で発生した要求応答メッセージを転送する要求応答部２９０とから構成されている。
【００４０】
図４は、図３のノンセキュリティ使用許可モジュール２４０の構造を概略的に示す図である。
【００４１】
図示のように、ノンセキュリティ使用許可モジュール２４０は、所有権の設定状態により、制御装置のユーザに提供される使用モードがセキュリティ使用モード、あるいは、ノンセキュリティ使用モードであるかを決定し、ユーザから受信された使用要求メッセージを処理しており、所有権設定判断部２４１と、ノンセキュリティ使用範囲検索部２４２と、ノンセキュリティ使用許可判断部２４３とから構成されている。
【００４２】
所有権設定判断部２４１は、所有権ＤＢ２１０に保存されている所有権の登録情報を参照し、 安全装置２００に対する所有権の登録装置による所有権の登録がなされているかどうかを判断し、所有権が登録されていると、セキュリティ使用モードに決定し、所有権が登録されていないと、ノンセキュリティ使用モードに決定する。
【００４３】
ノンセキュリティ使用範囲検索部２４２は、所有権設定判断部２４１の判断結果、ノンセキュリティ使用モードに決定されると、ノンセキュリティ使用範囲ＤＢ２２０に保存されているノンセキュリティコンテンツの登録情報を参照し、ノンセキュリティ使用モードで制御装置のユーザに提供できるノンセキュリティ使用範囲を検索する。 
【００４４】
ノンセキュリティ使用許可判断部２４３は、所有権設定判断部２４１及びノンセキュリティ使用範囲検索部２４２を介してノンセキュリティ使用範囲での安全装置の使用権を得ることになる制御機器のユーザに対するユーザ認証を行うためにさらに備えたものであり、ノンセキュリティモードにおけるコンテンツの使用が許可されたユーザであるか否かを判断する。 
【００４５】
即ち、ノンセキュリティ使用範囲検索部２４２で検索されたノンセキュリティ使用範囲や制御装置のユーザから転送された使用要求メッセージでの使用要求内容を分析し、使用要求内容がノンセキュリティ使用範囲を超えるかどうかにより、制御装置のユーザがノンセキュリティ使用モードでの安全装置２００の使用が許可されたユーザに与えるか否かを判断する。 
【００４６】
例えば、使用要求メッセージでの使用要求内容が検索されたノンセキュリティ使用範囲を超えると、制御装置のユーザをノンセキュリティ使用モードでの安全装置２００の使用が許可されていないユーザに与えたと判断し、当該のユーザにエラーメッセージを転送する。
【００４７】
ちなみに、本発明の一実施の形態によるノンセキュリティモードで使用可能な安全装置のノンセキュリティ使用許可モジュールは、各モジュールが全てハードウェアで構成されたり、一部のモジュールがソフトウェアで構成されたり、あるいは、全体のモジュールがソフトウェアで構成されたりすることができる。
【００４８】
従って、本発明の一実施の形態によるノンセキュリティモードで使用可能な安全装置のノンセキュリティ使用許可モジュールがハードウェアまたはソフトウェアで構成されるのは、本発明の基本的な技術的思想を逸脱するものでなく、このような基本的な技術的思想を逸脱しない範囲内で、当業界の通常の知識を有する者にとっては、例えば、ソフトウェア及びまたはハードウェアで構成される他の多くの変更及び同等な実施の形態が可能であろう。
【００４９】
このように構成されるノンセキュリティモードで使用可能な安全装置のノンセキュリティ使用許可モジュールを用いたノンセキュリティモードでの使用方法を添付図面を参照して詳しく説明する。
【００５０】
図５は、本発明の一実施の形態のノンセキュリティモードにおける使用過程を概略的に示す図である。
【００５１】
図示のように、先ず、制御装置のユーザから所望のコンテンツの提供を受けるための使用要求メッセージが受信されると(Ｓ１１)、安全装置では、ノンセキュリティ使用許可モジュール２４０の所有権設定判断部２４１を介して所有権ＤＢ２１０に格納された所有権の登録情報を参照し、所有権の設定がなされているかどうかを判断する(Ｓ１２)。
【００５２】
判断の結果、所有権の設定がなされていると（Ｓ１２で「はい」）、所有権設定判断部２４１では、使用要求メッセージを転送してきた制御装置のユーザに提供される使用モードをセキュリティ使用モードに決定する。
【００５３】
その次、使用権確認部２６０を介して使用権ＤＢ２５０に保存されている使用権の登録情報を参照し、使用要求メッセージを転送してきた制御装置のユーザに対する使用権を検索し(Ｓ１３)、検索の結果で許可されたユーザであるか否かを判断する(Ｓ１４)。
【００５４】
即ち、ユーザから受信された使用要求メッセージでの使用要求内容が検索された使用権の使用範囲を超えたかどうかを判断し、許可されたユーザであるか否かを確認する。
【００５５】
判断の結果、許可されたユーザでないと（Ｓ１４で「いいえ」）、制御装置のユーザにエラーメッセージを転送し(Ｓ１５)、許可されたユーザであると（Ｓ１４で「はい」）、要求処理部２８０で受信された使用要求メッセージによる要求処理を行い(Ｓ１６)、制御装置のユーザに応答メッセージを転送する(Ｓ１７)。
【００５６】
この要求処理過程において、エラーが発生すると、制御装置のユーザにエラーメッセージを転送する（Ｓ２０）。
【００５７】
判断の結果、所有権の設定がなされていないと（Ｓ１２で「いいえ」）、所有権設定判断部２４１では、使用要求メッセージを転送してきた制御装置のユーザに提供される使用モードをノンセキュリティ使用モードに決定する。
【００５８】
その次、安全装置では、ノンセキュリティ使用許可モジュール２４０のノンセキュリティ使用範囲検索部２４２でノンセキュリティ使用範囲ＤＢ２２０に保存されているノンセキュリティのコンテンツ登録情報を参照し、ノンセキュリティ使用モードで制御装置のユーザに提供できるノンセキュリティ使用範囲を検索する(Ｓ１８)。
【００５９】
その次、安全装置２００では、制御機器のユーザがノンセキュリティ使用モードにおけるコンテンツの使用が許可されたユーザであるかどうかを判断するために、ノンセキュリティ使用許可判断部２４３で検索されたノンセキュリティ使用範囲と制御装置のユーザが転送した使用要求メッセージの内容間の包含関係を分析し、所有権の登録が行われていない状態でノンセキュリティ使用モードでの使用が許可されたユーザであるか否かを判断する(Ｓ１９)。
【００６０】
即ち、ユーザから受信された使用要求メッセージでの使用要求内容が検索されたノンセキュリティ使用範囲内にあるかどうかを比較し、ノンセキュリティモードにおけるコンテンツの使用が許可されたユーザであるか否かを決定する。
【００６１】
判断の結果、ノンセキュリティ使用モードでの使用が許可されたユーザでないと（Ｓ１９で「いいえ」）、制御装置のユーザにエラーメッセージを転送し(Ｓ２０)、判断の結果、ノンセキュリティ使用モードでの使用が許可されたユーザであると（Ｓ１９で「はい」）、要求処理部２８０で受信された使用要求メッセージによる要求処理を行うルーチン(Ｓ１６)に復帰する。
【００６２】
このように行われる本発明によるノンセキュリティモードにおける使用方法を一実施の形態を挙げて説明する。
【００６３】
もし、初期のホームネットワークの構築段階において、ユーザが所定のマルチメディアコンテンツの所有者から提供されるマルチメディアコンテンツをダウンロードして用いることのできるマルチメディア再生装置をホームネットワーク上に設ける場合、マルチメディア再生装置は、提供可能なコンテンツの特性により、指定されたユーザのみがマルチメディアコンテンツの使用できるようにするセキュリティ機能が設定されている。
【００６４】
この場合、ユーザのホームネットワークは、初期の構築段階であり、セキュリティ機能の設定されたマルチメディア再生装置の所有権の登録のための所有権の登録装置が備わっておらず、ユーザは、マルチメディア再生装置に対する所有権の登録を行うことができない。
【００６５】
このようなホームネットワークにおいて、ユーザが新たに購入したマルチメディア再生装置から提供される所定のマルチメディアコンテンツを確認したいときには、ユーザは、マルチメディア再生装置にアクセスできるように所定の制御装置１００を介してマルチメディア再生装置に使用要求メッセージを転送する。
【００６６】
マルチメディア再生装置においては、受信される使用要求メッセージにより、ユーザにマルチメディアコンテンツを提供するために、ノンセキュリティ使用許可モジュール２４０の所有権設定判断部２４１を介して所有権の設定がなされているかどうかを判断する。
【００６７】
判断の結果、所有権の設定がなされていない状態であるため、ノンセキュリティ使用許可モジュール２４０では、ノンセキュリティ使用モードを決定し、ノンセキュリティ使用範囲検索部２４２を介してノンセキュリティ使用範囲ＤＢ２２０に保存されているノンセキュリティ使用範囲の登録情報を検索する。
【００６８】
その次、ノンセキュリティ使用モードで提供できるマルチメディアコンテンツの範囲が検索されると、ユーザから受信された使用要求メッセージでの使用要求内容が前記検索されたマルチメディアコンテンツの範囲に属するかどうかを分析し、当該のユーザがノンセキュリティ範囲のマルチメディアコンテンツの使用が許可されたユーザであるか否かを判断する。
【００６９】
即ち、ノンセキュリティモードで提供できるノンセキュリティ使用範囲がマルチメディアコンテンツの所有者により無料のコンテンツに設定された場合、ユーザからマルチメディア再生装置に設定された暗証番号を入力されたり、ユーザにより要求されるマルチメディアコンテンツに基づいて、ノンセキュリティ使用モードでの使用が許可されたユーザであるか否かを判断することができる。
【００７０】
判断の結果、ノンセキュリティ使用モードでの使用が許可されたユーザであると、ユーザにノンセキュリティ使用範囲のコンテンツを提供する。
【００７１】
このような過程により、ユーザは、初期のホームネットワークの構築段階において、新たに購入した安全装置の所有権の設定が容易でない状況においても、 マルチメディア再生装置を介してノンセキュリティ使用範囲のマルチメディアコンテンツを使用することが可能となる。
【００７２】
以上のように、上記実施の形態を参照して詳細に説明され図示されており、本発明は、前述したように、ホームネットワークにより具現されるものとしているが、これに限定されるものではなく、このような本発明の基本的な技術的思想を逸脱しない範囲内で、当業界の通常の知識を有する者にとっては、例えば、所有権の設定がなされていない状態でセキュリティ設定されたネットワーク装置のコンテンツに対する適正範囲の使用権をユーザに提供する方法への他の多くの変更及び同等な実施の形態が可能であろう。また、本発明は、添付の特許請求の範囲により解釈されるべきであることは言うまでもない。
【図面の簡単な説明】
【００７３】
【図１Ａ】従来のネットワークシステム及び安全装置の構造やこれによる安全装置の使用過程を概略的に示す図である。
【図１Ｂ】従来のネットワークシステム及び安全装置の構造やこれによる安全装置の使用過程を概略的に示す図である。
【図１Ｃ】従来のネットワークシステム及び安全装置の構造やこれによる安全装置の使用過程を概略的に示す図である。
【図２】本発明の一実施の形態によるネットワークシステムの構造を概略的に示す図である。
【図３】本発明の一実施の形態によるノンセキュリティモードで使用可能な安全装置の構造を概略的に示す図である。
【図４】図３のノンセキュリティ使用許可モジュールの構造を概略的に示す図である。
【図５】本発明の一実施の形態によるノンセキュリティモードにおける使用過程を概略的に示す図である。
【符号の説明】
【００７４】
１００  制御装置
２００  安全装置
２１０  所有権ＤＢ
２２０  ノンセキュリティ使用範囲ＤＢ
２３０  要求受付部
２４０  ノンセキュリティ使用許可モジュール
２４１  所有権設定判断部 
２４２  ノンセキュリティ使用範囲検索部
２４３  ノンセキュリティ使用許可判断部
２５０  使用権ＤＢ
２６０  使用権確認部
２７０  エラー応答部 
２８０  要求処理部
２９０  要求応答部
【図１Ａ】
2005056384.tif 000003
【図１Ｂ】
2005056384.tif 000004
【図１Ｃ】
2005056384.tif 000005
【図２】
2005056384.tif 000006
【図３】
2005056384.tif 000007
【図４】
2005056384.tif 000008
【図５】
2005056384.tif 000009